(57)【特許請求の範囲】
【請求項１】
遊技機器を収容した筐体内に、前記遊技機器に外部電源を供給するための電源ユニットを備えた遊技機において、
前記筐体の後板に開口部を設け、前記開口部を電源ユニットの電源部を収容した電源ボックスの背面で閉塞すると共に、前記電源ボックスの背面から突設した放熱フィンを、前記開口部内に突入させたことを特徴とする遊技機。
【請求項２】
前記放熱フィンを、前記後板の背面よりも出っ張らない範囲内で前記開口部内に突入させたことを特徴とする請求項１記載の遊技機。
【発明の詳細な説明】
【技術分野】
【０００１】
本発明は、各種遊技機器を収容した筐体内に、遊技機器に外部電源を供給するための電源ユニットを備えた遊技機に関する。
【背景技術】
【０００２】
遊技機としてのスロットマシンにおいては、外周面に複数の識別情報が付記された回転リールを有する回転リールユニット、遊技を統括的に制御する主制御基板、及びホッパーユニット等の遊技機器に外部電源を供給するための電源ユニットを備える。電源ユニットは、電源部と、この電源部を収容する電源ボックスを備え、電源ボックスを筐体内の側板に固定した状態で筐体内に収容される。そして、電源部から発生する熱は、電源ボックスに設けた放出孔から筐体内に放出されて、筐体の後板に設けた放出孔から筐体外部に自然排気される（例えば、特許文献１参照）。
【特許文献１】特開２００４−２９８２３１号公報
【発明の開示】
【発明が解決しようとする課題】
【０００３】
しかし、上述のような遊技機においては、電源ユニットの電源部から発生する全ての熱が電源ボックスの放出孔から筐体内に放出されるため、筐体内の温度が上昇し、遊技機器に支障を及ぼすおそれがある。そのため、電源ボックスの放熱孔から放出された熱を大量に筐体外部に排気できるように、筐体の後板に多数の放出孔を設けることが好ましい。しかし、その反面、後板に多数の放出孔を設けることは、不正具が放出孔を通して筐体内に侵入させられる可能性が大となるため、不正遊技を防止する上では好ましいことではない。
【０００４】
本発明は、上述のような課題に鑑み、電源ユニットから発生する熱を効率的に筐体外部に放出することができるようにした遊技機を提供することを目的とする。
【課題を解決するための手段】
【０００５】
本発明によると、上記課題は、次のようにして解決される。
（１）遊技機器を収容した筐体内に、前記遊技機器に外部電源を供給するための電源ユニットを備えた遊技機において、前記筐体の後板に開口部を設け、前記開口部を電源ユニットの電源部を収容した電源ボックスの背面で閉塞すると共に、前記電源ボックスの背面から突設した放熱フィンを、前記開口部内に突入させる。
【０００６】
（２）上記(１)項において、前記放熱フィンを、前記後板の背面よりも出っ張らない範囲内で前記開口部内に突入させる。
【発明の効果】
【０００７】
本発明によれば、次のような効果が奏せられる。
請求項１記載の発明によると、電源ユニットの電源部から発生する熱を、放熱フィンをもって、後板の開口部から効率良く筐体外部に放出することができる。
【０００８】
請求項２記載の発明によると、放熱フィンが他物と衝突する危険性が少なくなり、放熱フィンの損傷を極力防止することができる。
【発明を実施するための最良の形態】
【０００９】
以下、本発明の一実施形態を図面に基づいて説明する。図１は、本発明を適用した遊技機の正面図、図２は、前扉３を開けた状態の遊技機の正面図、図３は、図２におけるIII−III線断面図、図４は、遊技機の背面図、図５は、図４におけるＶ−Ｖ線横断面図である。なお、以下の説明では、図１において紙面手前側を「前方または表面」とし、図１において紙面奥側を「後方または裏面」とし、図１において左側を「左方」とし、図１において右側を「右方」とする。
【００１０】
遊技機１としてのスロットマシンは、前面が開放した正面視矩形の筐体２と、筐体２の左側部に上下１対のヒンジ４により開閉可能に枢支された前扉３とを備える。
【００１１】
なお、本実施形態において、遊技機１を遊技媒体がメダル（コインを含む）とするスロットマシンとして説明するが、本発明は、これに特定されるものでなく、遊技機１を遊技媒体がパチンコ玉であるスロットマシンとしても良い。
【００１２】
筐体２は、天板２１、底板２３、両側板２４、２４及び後側を閉塞する後板２２により形成される。後板２２の下部における後述の電源ユニット１１における電源ボックス１１１の背面に対向する箇所には、放熱用の縦長矩形の開口部２２１が設けられている。筐体２内は、上棚板５及び下棚板６により上、中、下部屋２Ａ、２Ｂ、２Ｃに仕切られる。
【００１３】
筐体２内における上部屋２Ａには、図柄、数字等で構成される識別情報を外周面に付記した３個の回転リール７１を有する回転リールユニット７が配置される。中部屋２Ｂには、透明な合成樹脂製の基板ケース９内に収容され、遊技を統括的に制御する主制御基板１０と、主制御基板１０の命令に基づいて演出装置（後述の液晶表示装置１５、スピーカ１７、ランプ等）を制御する副制御基板１２と、主制御基板１０の命令に基づいて回転リールユニット７を制御する回転リール制御基板１３とが配置される。下部屋２Ｃには、メダルを貯留及び払出可能なホッパーユニット８と、外部電源を各種遊技機器へ供給する電源ユニット１１が配置される。
【００１４】
前扉３の前面上部には、回転リール７１の識別情報を３こまずつ透視可能な識別情報表示窓３１が設けられ、同じく識別情報表示窓３１の下方には、液晶表示装置１５に表示される遊技情報及び演出情報を透視可能な演出情報表示窓３２が設けられ、同じく演出情報表示窓３２の下方には、遊技を行うときにメダルが投入されるメダル投入部１４と、メダルの賭数を設定するベットスイッチボタン３３と、全ての回転リール７１を一斉に回転させるときに操作されるスタートスイッチレバー３４と、各回転リール７１の回転を個別に停止させるときに操作される３個のストップスイッチボタン３５等が設けられる。ベットスイッチボタン３３、スタートスイッチボタン３４、ストップスイッチボタン３５の各操作信号は、主制御基板１０に入力され、主制御基板１０は、各操作信号に基づいて各遊技機器を制御する。
【００１５】
前扉３の裏面には、遊技に関する遊技情報及び演出情報を表示可能な演出表示装置をなす液晶表示装置１５、演出効果音を発生するスピーカ１７、多数のランプ（図示略）、及びその他の機器が配置されている。液晶表示装置１５は、前扉３の裏面側における中部屋２Ｂに対向する箇所に配置される。また、液晶表示装置１５の上方には、副制御基板１２から出力される制御信号を中継する演出接続基板１６が配置される。
【００１６】
遊技機１の遊技は、遊技者がメダルをメダル投入部１４に投入した後、ベットスイッチボタン３３によりメダルの賭数を設定した後、スタートスイッチレバー３４を操作して、全ての回転リール７１を回転させることによって開始される。
【００１７】
回転リール７１が回転して所定時間が経過した後、３個のストップスイッチボタン３５を順次操作して、各回転リール７１の回転を停止させ、停止した３個の回転リール７１の識別情報の組み合わせにより、入賞の有無、及び賞の大小に応じたメダルの配当枚数が確定され、入賞した場合には、予め定めた入賞枚数分だけホッパーユニット８から前扉３の下部に設けられたメダル受皿３６にメダルが払い出される。
【００１８】
次に、本発明に係わる電源ユニット１１について説明する。電源ユニット１１は、電源ボックス１１１と、電源ボックス１１１内に収容される電源部（図示略）とを備え、電源ボックス１１１の背面には、多数の放熱フィン１１２が突設されている。なお、放熱フィン１１２は、主に図５に示すように、後板２２の裏面よりも外側に突出しないように、後板２２の板厚とほぼ同等かもしくはそれよりも僅かに小さく形成される。
【００１９】
筐体２内への電源ユニット１１の取付け状態は、主に図３、５に示すように、電源ボックス１１１の背面をもって、後板２２の開口部２２１を隙間無く閉塞すると共に、放熱フィン１１２を開口部２２１内に突入させた状態で、電源ボックス１１１をネジにより側板２４に固定する。これにより、放熱用フィン１１２が、開口部２２１から外部に露出するため、電源部から発生した熱を放熱用フィン１１２を介して効果的に筐体２外部に放出することができる。また、放熱フィン１１２は、後板２２の裏面よりも後方へ出っ張ることがないため、例えば、遊技機１の搬送時や据え付け時、放熱用フィン１１２が他物に衝突して破損する危険性を極力防止することができる。
【図面の簡単な説明】
【００２０】
【図１】本発明を適用した遊技機の正面図である。
【図２】同じく、前扉を開けた状態の遊技機の正面図である。
【図３】図２におけるIII−III線断面図である。
【図４】遊技機の背面図である。
【図５】図４におけるＶ−Ｖ線横断面図である
【符号の説明】
【００２１】
１  スロットマシン（遊技機）
２  筐体
２Ａ  上部屋
２Ｂ  中部屋
２Ｃ  下部屋
３  前扉
４  ヒンジ
５  上棚板
６  下棚板
７  回転リールユニット
８  ホッパーユニット
９  基板ケース
１０  主制御基板
１１  電源ユニット
１２  副制御基板
１３  回転リール制御基板
１４  メダル投入部
１５  液晶表示装置（演出表示装置）
１６  演出接続基板
１７  スピーカ
１８  ネジ
２１  天板
２２  後板
２３  底板
２４  側板
３１  識別情報表示窓
３２  演出情報表示窓
３３  ベットスイッチボタン
３４  スタートスイッチレバー
３５  ストップスイッチボタン
３６  メダル受皿
７１  回転リール
１１１  電源ボックス
１１２  放熱フィン
２２１  開口部
【図１】
0005117157.tif 000002
【図２】
0005117157.tif 000003
【図３】
0005117157.tif 000004
【図４】
0005117157.tif 000005
【図５】
0005117157.tif 000006